(57)【要約】  本発明は、環境にやさしい、新規な共沸様組成物を提供することを課題とする。本発明の共沸様組成物は、Ｚ−１−クロロ−３，３，３−トリフルオロプロペン（１２３３ｚｄ（Ｚ））と、エタノール（ＥｔＯＨ）と、水（Ｈ2Ｏ）とからなる。当該共沸様組成物は、ある一態様において、Ｚ−１−クロロ−３，３，３−トリフルオロプロペン（１２３３ｚｄ（Ｚ））と、エタノール（ＥｔＯＨ）と、水（Ｈ2Ｏ）とを、所定の割合で含む。【特許請求の範囲】
【請求項１】
Ｚ−１−クロロ−３，３，３−トリフルオロプロペンと、エタノールと、水とを含む共沸様組成物。
【請求項２】
Ｚ−１−クロロ−３，３，３−トリフルオロプロペンを５１．１〜９８．４８質量％、エタノールを１．２〜３４．９質量％、水を０．０２〜２１．３質量％含む、請求項１に記載の共沸様組成物。
【請求項３】
Ｚ−１−クロロ−３，３，３−トリフルオロプロペンを５１．９〜９８．４５質量％、エタノールを１．２〜３４．８質量％、水を０．０５〜２０．２質量％含む、請求項１に記載の共沸様組成物。
【請求項４】
Ｚ−１−クロロ−３，３，３−トリフルオロプロペンを７７．５〜９８．４８質量％、エタノールを１．２〜１．５０質量％、水を０．０２〜２１．３質量％含む、あるいは、
Ｚ−１−クロロ−３，３，３−トリフルオロプロペンを６３．０〜７９．８質量％、エタノールを１５．７〜２０．０質量％、水を０．２〜２１．３質量％含む、あるいは、
Ｚ−１−クロロ−３，３，３−トリフルオロプロペンを５１．１〜６４．８質量％、エタノールを２７．６〜３４．９質量％、水を０．３〜２１．３質量％含む、請求項１に記載の共沸様組成物。
【請求項５】
Ｚ−１−クロロ−３，３，３−トリフルオロプロペンを７８．８〜９８．４５質量％、エタノールを１．２〜１．５０質量％、水を０．０５〜２０．０質量％含む、あるいは、
Ｚ−１−クロロ−３，３，３−トリフルオロプロペンを６３．８〜７９．６質量％、エタノールを１６．０〜１９．９質量％、水を０．５〜２０．２質量％含む、あるいは、
Ｚ−１−クロロ−３，３，３−トリフルオロプロペンを５１．９〜６４．７質量％、エタノールを２８．０〜３４．８質量％、水を０．５〜２０．１質量％含む、請求項１に記載の共沸様組成物。
【請求項６】
さらに、潤滑剤、安定剤、難燃剤、界面活性剤、金属不動態化剤、腐食防止剤または有機溶剤を含む、請求項１〜５のいずれかに記載の共沸様組成物。
【請求項７】
請求項１〜６のいずれかに記載の共沸様組成物を含む、洗浄剤。
【請求項８】
請求項１〜６のいずれかに記載の共沸様組成物を含む、水切り剤。
【請求項９】
請求項１〜６のいずれかに記載の共沸様組成物を含む、溶媒。
【請求項１０】
請求項１〜６のいずれかに記載の共沸様組成物を含む、シリコーン溶剤。
【請求項１１】
請求項１〜６のいずれかに記載の共沸様組成物を含む、発泡剤。
【請求項１２】
請求項１〜６のいずれかに記載の共沸様組成物を含む、熱伝達媒体。
【請求項１３】
請求項１〜６のいずれかに記載の共沸様組成物を被洗浄物と接触させる工程を含む、被洗浄物の洗浄方法。
【請求項１４】
前記被洗浄物が、水分を含む汚れが付着した物品である、請求項１３に記載の方法。
【請求項１５】
請求項１２に記載の熱伝達媒体を用いた有機ランキンサイクルシステム。
【請求項１６】
請求項１２に記載の熱伝達媒体を用いた高温ヒートポンプサイクルシステム。
【請求項１７】
請求項１２に記載の熱伝達媒体を用いた冷凍サイクルシステム。
【発明の詳細な説明】
【技術分野】
【０００１】
本発明は、Ｚ−１−クロロ−３，３，３−トリフルオロプロペン（１２３３ｚｄ（Ｚ））と、エタノール（ＥｔＯＨ）と、水とを含む共沸様組成物に関する。
【背景技術】
【０００２】
クロロフルオロカーボン（ＣＦＣ）類や、ハイドロクロロフルオロカーボン（ＨＣＦＣ）類などの含フッ素飽和化合物は、発泡剤、熱伝達媒体、溶媒、洗浄剤などの用途において使用されてきた。これらの用途においては、単一成分または共沸様組成物、すなわち沸騰、蒸発時に実質的に分留しないものの使用が特に望ましい。【０００３】
これらの含フッ素飽和化合物は、地球温暖化係数（ＧＷＰ）が大きく、地球環境への影響が懸念され、使用が制限されている。そこで、ＣＦＣ類やＨＣＦＣ類に代わる化合物として、ハイドロクロロフルオロオレフィン（ＨＣＦＯ）類が開発されている。ＨＣＦＯ類は大気中での寿命が短く、地球温暖化係数が小さいという優れた環境性能を有する。【０００４】
しかしながら、ＨＣＦＯ類をはじめとして、新規な、環境に安全で、分留しない組成物の開発は、共沸または共沸様組成物の形成が容易に予測できないことから、困難である。そのため、産業界は、ＣＦＣ類や、ＨＣＦＣ類に代わる、性能上許容でき、環境上より安全な代替品である新規なＨＣＦＯ類組成物を絶えず求めている。【０００５】
ところで、特許文献１には、Ｚ−１−クロロ−３，３，３−トリフルオロプロペン（１２３３ｚｄ（Ｚ））と、エタノールとから本質的になる、二成分共沸混合物様混合物を含む組成物を開示している。【０００６】
また、特許文献２には、１２３３ｚｄ（Ｚ）と、水とから本質的になる、二成分共沸混合物様混合物を含む組成物を開示している。
【先行技術文献】
【特許文献】
【０００７】
【特許文献１】特表２０１２−５０６９４４号公報
【特許文献２】特表２０１５−５０７０３９号公報
【発明の概要】
【発明が解決しようとする課題】
【０００８】
本発明は、環境にやさしい、新規な共沸様組成物を提供することを課題とする。
【課題を解決するための手段】
【０００９】
本発明者らは、鋭意検討した結果、Ｚ−１−クロロ−３，３，３−トリフルオロプロペン（１２３３ｚｄ（Ｚ））と、エタノールと、水とが共沸様組成物を形成することを見出し、本発明を完成させた。【００１０】
すなわち、本発明は、以下の各発明を含む。【００１１】
［発明１］
Ｚ−１−クロロ−３，３，３−トリフルオロプロペンと、エタノールと、水とを含む共沸様組成物。【００１２】
［発明２］
Ｚ−１−クロロ−３，３，３−トリフルオロプロペンを５１．１〜９８．４８質量％、エタノールを１．２〜３４．９質量％、水を０．０２〜２１．３質量％含む、発明１に記載の共沸様組成物。【００１３】
［発明３］
Ｚ−１−クロロ−３，３，３−トリフルオロプロペンを５１．９〜９８．４５質量％、エタノールを１．２〜３４．８質量％、水を０．０５〜２０．２質量％含む、発明１に記載の共沸様組成物。【００１４】
［発明４］
Ｚ−１−クロロ−３，３，３−トリフルオロプロペンを７７．５〜９８．４８質量％、エタノールを１．２〜１．５０質量％、水を０．０２〜２１．３質量％含む、あるいは、
Ｚ−１−クロロ−３，３，３−トリフルオロプロペンを６３．０〜７９．８質量％、エタノールを１５．７〜２０．０質量％、水を０．２〜２１．３質量％含む、あるいは、
Ｚ−１−クロロ−３，３，３−トリフルオロプロペンを５１．１〜６４．８質量％、エタノールを２７．６〜３４．９質量％、水を０．３〜２１．３質量％含む、発明１に記載の共沸様組成物。【００１５】
［発明５］
Ｚ−１−クロロ−３，３，３−トリフルオロプロペンを７８．８〜９８．４５質量％、エタノールを１．２〜１．５０質量％、水を０．０５〜２０．０質量％含む、あるいは、
Ｚ−１−クロロ−３，３，３−トリフルオロプロペンを６３．８〜７９．６質量％、エタノールを１６．０〜１９．９質量％、水を０．５〜２０．２質量％含む、あるいは、
Ｚ−１−クロロ−３，３，３−トリフルオロプロペンを５１．９〜６４．７質量％、エタノールを２８．０〜３４．８質量％、水を０．５〜２０．１質量％含む、発明１に記載の共沸様組成物。【００１６】
［発明６］
さらに、潤滑剤、安定剤、難燃剤、界面活性剤、金属不動態化剤、腐食防止剤または有機溶剤を含む、発明１〜５のいずれかに記載の共沸様組成物。【００１７】
［発明７］
発明１〜６のいずれかに記載の共沸様組成物を含む、洗浄剤。【００１８】
［発明８］
発明１〜６のいずれかに記載の共沸様組成物を含む、水切り剤。【００１９】
［発明９］
発明１〜６のいずれかに記載の共沸様組成物を含む、溶媒。【００２０】
［発明１０］
発明１〜６のいずれかに記載の共沸様組成物を含む、シリコーン溶剤。【００２１】
［発明１１］
発明１〜６のいずれかに記載の共沸様組成物を含む、発泡剤。【００２２】
［発明１２］
発明１〜６のいずれかに記載の共沸様組成物を含む、熱伝達媒体。【００２３】
［発明１３］
発明１〜６のいずれかに記載の共沸様組成物を被洗浄物と接触させる工程を含む、被洗浄物の洗浄方法。【００２４】
［発明１４］
前記被洗浄物が、水分を含む汚れが付着した物品である、発明１３に記載の方法。【００２５】
［発明１５］
発明１２に記載の熱伝達媒体を用いた有機ランキンサイクルシステム。【００２６】
［発明１６］
発明１２に記載の熱伝達媒体を用いた高温ヒートポンプサイクルシステム。【００２７】
［発明１７］
発明１２に記載の熱伝達媒体を用いた冷凍サイクルシステム。
【発明の効果】
【００２８】
Ｚ−１−クロロ−３，３，３−トリフルオロプロペン（１２３３ｚｄ（Ｚ））と、エタノールと、水とを含む共沸様組成物は地球温暖化係数（ＧＷＰ）が低い。したがって、本発明によれば、環境にやさしい、新規な共沸様組成物を提供することができる。
【発明を実施するための形態】
【００２９】
１．本発明の組成物
［三成分共沸様組成物］
本明細書でいう三成分共沸組成物とは、三成分からなる組成物であって、当該三成分のうちの沸点の低い二成分の混合物に対して、沸点の高い一成分を加えて三成分の混合物としたときに、当該二成分の混合物よりも低い沸点を有する、組成物を意味する。例えば、成分Ａ、成分Ｂ及び成分Ｃの三成分（沸点は、Ｃ＞Ｂ＞Ａ）にあっては、沸点の低い成分Ａと成分Ｂの混合物に対して、最も沸点の高い成分Ｃを当該混合物に加え、成分Ａ、成分Ｂおよび成分Ｃからなる組成物とし、この組成物が当該混合物よりも低い沸点を有するとき、この組成物を三成分共沸様組成物という。なお、本明細書において、共沸様組成物は、その広い意味において、厳密に共沸性である組成物及び共沸混合物のように挙動する組成物の両方を包含する。また、本明細書において、共沸様組成物には、所定の圧力において組成物が単一の液相で存在する均一共沸混合物、又は所定の圧力において組成物が２以上の液相として存在する異相共沸混合物も含まれる。
【００３０】
組成物の沸点は、沸騰する時の液体（組成物）の温度を計測することで求めることができる。沸点は外気圧によって変化するので、沸点を比較する場合、一定圧力下での沸点を求めることが望ましい。したがって、組成物の沸点とは、１気圧（１０１．３ＫＰａ）における沸点、つまり標準沸点を示す。
【００３１】
本発明者らは、Ｚ−１−クロロ−３，３，３−トリフルオロプロペン（１２３３ｚｄ（Ｚ））（沸点：３９℃）とエタノール（沸点：７８℃）の混合物に対して、水（沸点：１００℃）を加え、１２３３ｚｄ（Ｚ）とエタノールと水からなる組成物とし、この組成物が当該混合物よりも低い沸点を有することを見出した。すなわち、１２３３ｚｄ（Ｚ）と、水と、エタノールとは、所定の組成範囲で三成分共沸様組成物を形成する。この三成分共沸様組成物は、地球温暖化係数（ＧＷＰ）が極めて小さい１２３３ｚｄ（Ｚ）と、エタノールと、水とからなることから、従来のＣＦＣ類やＨＣＦＣ類と比べて、地球環境にやさしい組成物である。
【００３２】
本発明の共沸様組成物（以下、「本組成物」と呼ぶことがある。）は、Ｚ−１−クロロ−３，３，３−トリフルオロプロペン（１２３３ｚｄ（Ｚ））と、水と、エタノールとを含む。
【００３３】
ある一態様において、本組成物は、１２３３ｚｄ（Ｚ）を５１．１〜９８．４８質量％、エタノールを１．２〜３４．９質量％、水を０．０２〜２１．３質量％含む。
【００３４】
また、ある一態様において、本組成物は、１２３３ｚｄ（Ｚ）を５１．９〜９８．４５質量％、エタノールを１．２〜３４．８質量％、水を０．０５〜２０．２質量％含む。
【００３５】
また、ある一態様において、本組成物は、１２３３ｚｄ（Ｚ）を７７．５〜９８．４８質量％、エタノールを１．２〜１．５０質量％、水を０．０２〜２１．３質量％含み、あるいは、
１２３３ｚｄ（Ｚ）を６３．０〜７９．８質量％、エタノールを１５．７〜２０．０質量％、水を０．２〜２１．３質量％含み、あるいは、
１２３３ｚｄ（Ｚ）を５１．１〜６４．８質量％、エタノールを２７．６〜３４．９質量％、水を０．３〜２１．３質量％含む。
【００３６】
また、ある一態様において、本組成物は、１２３３ｚｄ（Ｚ）を７８．８〜９８．４５質量％、エタノールを１．２〜１．５０質量％、水を０．０５〜２０．０質量％含み、あるいは、
１２３３ｚｄ（Ｚ）を６３．８〜７９．６質量％、エタノールを１６．０〜１９．９質量％、水を０．５〜２０．２質量％含み、あるいは、
１２３３ｚｄ（Ｚ）を５１．９〜６４．７質量％、エタノールを２８．０〜３４．８質量％、水を０．５〜２０．１質量％含む。
【００３７】
また、ある一態様において、本組成物は、１２３３ｚｄ（Ｚ）と、エタノールと、水とから実質的になる。
【００３８】
本組成物は、様々な任意の成分を含んでいてもよい。このような成分としては、潤滑剤、安定剤、難燃剤、界面活性剤、金属不動態化剤、腐食防止剤、有機溶剤などが挙げられるが、これらに限定されない。これらの成分の含有量は、共沸様組成物の共沸様の性質に支障のない程度であればよい。これらの成分の合計の含有量は、これらの成分の種類により異なるが、例えば、共沸様組成物に対して、０．０１〜２０質量％程度であり、０．０１〜１０質量％程度とすることが好ましく、０．０１〜５質量％程度とすることがより好ましい。
【００３９】
＜潤滑剤＞
本組成物は潤滑剤を含んでいてもよい。このような潤滑剤としては、鉱物油（パラフィン系油またはナフテン系油）、合成油のアルキルベンゼン類（ＡＢ）、ポリ（アルファ−オレフィン）、エステル類、ポリオールエステル類（ＰＯＥ）、ポリアルキレングリコール類（ＰＡＧ）、ポリビニルエーテル類（ＰＶＥ）などを用いることができるが、これらに限定されない。ある態様において、本組成物を熱伝達媒体として使用する場合、例えば、高温ヒートポンプの冷媒用途やランキンサイクルの作動媒体用途などにおいて、該熱伝達媒体には潤滑剤が含まれ得る。
【００４０】
アルキルベンゼン類としては、ｎ−オクチルベンゼン、ｎ−ノニルベンゼン、ｎ−デシルベンゼン、ｎ−ウンデシルベンゼン、ｎ−ドデシルベンゼン、ｎ−トリデシルベンゼン、２−メチル−１−フェニルヘプタン、２−メチル−１−フェニルオクタン、２−メチル−１−フェニルノナン、２−メチル−１−フェニルデカン、２−メチル−１−フェニルウンデカン、２−メチル−１−フェニルドデカン、２−メチル−１−フェニルトリデカン等が挙げられる。
【００４１】
エステル類としては、安息香酸、フタル酸、イソフタル酸、テレフタル酸、トリメリット酸、ピロメリット酸及びこれらの混合物等の芳香族エステル、二塩基酸エステル、ポリオールエステル、コンプレックスエステル、炭酸エステル等が挙げられる。
【００４２】
ポリオールエステル類の原料となるアルコールとしては、ネオペンチルグリコール、トリメチロールエタン、トリメチロールプロパン、トリメチロールブタン、ジ（トリメチロールプロパン）、トリ（トリメチロールプロパン）、ペンタエリスリトール、ジ（ペンタエリスリトール）、トリ（ペンタエリスリトール）等のヒンダードアルコールのエステル等が挙げられる。
【００４３】
ポリオールエステル類の原料となるカルボン酸としては、吉草酸、カプロン酸、エナント酸、カプリル酸、ペラルゴン酸、カプリン酸、オレイン酸、イソペンタン酸、２−メチルヘキサン酸、２−エチルペンタン酸、２−エチルヘキサン酸及び３，５，５−トリメチルヘキサン酸等が挙げられる。
【００４４】
ポリアルキレングリコールとしては、炭素数１〜１８のアルコール（例えば、メタノール、エタノール、直鎖状または分枝状のプロパノール、直鎖状又は分枝状のブタノール、直鎖状又は分枝状のペンタノール、直鎖状又は分枝状のヘキサノール等の脂肪族アルコール）に、アルキレンオキシド（例えば、エチレンオキシド、プロピレンオキシド、ブチレンオキド等）を付加重合した化合物が挙げられる。
【００４５】
ポリビニルエーテル類としては、ポリメチルビニルエーテル、ポリエチルビニルエーテル、ポリｎ−プロピルビニルエーテル、ポリイソプロピルビニルエーテル等が挙げられる。
【００４６】
＜安定剤＞
本組成物は安定剤を含んでいてもよい。いくつかの態様において、本組成物が安定剤を含むことにより、熱安定性、耐酸化性等を改善することができる。このような安定剤としては、ニトロ化合物、エポキシ化合物、フェノール類、イミダゾール類、アミン類、炭化水素類等が挙げられるが、これらに限定されない。また、これらは単独で用いてもよく、２種以上を併用してもよい。
【００４７】
ニトロ化合物としては、例えば、脂肪族及び／または芳香族誘導体が挙げられる。脂肪族系ニトロ化合物としては、例えば、ニトロメタン、ニトロエタン、１−ニトロプロパン、２−ニトロプロパン等が挙げられる。芳香族ニトロ化合物としては、例えば、ニトロベンゼン、ｏ−、ｍ−又はｐ−ジニトロベンゼン、トリニトロベンゼン、ｏ−、ｍ−又はｐ−ニトロトルエン、ｏ−、ｍ−又はｐ−エチルニトロベンゼン、２，３−、２，４−、２，５−、２，６−、３，４−又は３，５−ジメチルニトロベンゼン、ｏ−、ｍ−又はｐ−ニトロアセトフェノン、ｏ−、ｍ−又はｐ−ニトロフェノール、ｏ−、ｍ−又はｐ−ニトロアニソール等が挙げられる。
【００４８】
エポキシ化合物としては、例えばエチレンオキサイド、１，２−ブチレンオキサイド、プロピレンオキサイド、スチレンオキサイド、シクロヘキセンオキサイド、グリシドール、エピクロルヒドリン、グリシジルメタアクリレート、フェニルグリシジルエーテル、アリルグリシジルエーテル、メチルグリシジルエーテル、ブチルグリシジルエーテル、２−エチルヘキシルグリシジルエーテル等のモノエポキシ系化合物、ジエポキシブタン、ビニルシクロヘキセンジオキサイド、ネオペンチルグリコールジグリシジルエーテル、エチレングリコールジグリシジルエーテル、グリセリンポリグリシジルエーテル、トリメチロールプロパントルグリシジルエーテル等のポリエポキシ系化合物等が挙げられる。
【００４９】
フェノール類としては、例えば、フェノール性水酸基とともに、アルキル基、アルケニル基、アルコキシ基、カルボキシル基、カルボニル基、ハロゲン等各種の置換基を含み得る芳香族化合物が挙げられる。このような芳香族化合物としては、例えば、２，６−ジ−ｔ−ブチル−ｐ−クレゾール、ｏ−クレゾール、ｍ−クレゾール、ｐ−クレゾール、チモール、ｐ−ｔ−ブチルフェノール、ｏ−メトキシフェノール、ｍ−メトキシフェノール、ｐ−メトキシフェノール、オイゲノール、イソオイゲノール、ブチルヒドロキシアニソール、フェノール、キシレノール等の１価のフェノールあるいはｔ−ブチルカテコール、２，５−ジ−ｔ−アミノハイドロキノン、２，５−ジ−ｔ−ブチルハイドロキノン等の２価のフェノール等が挙げられる。
【００５０】
イミダゾール類としては、炭素数１〜１８で直鎖状もしくは分岐鎖状のアルキル基、シクロアルキル基、またはアリール基をＮ位の置換基とする、１−メチルイミダゾール、１−ｎ−ブチルイミダゾール、１−フェニルイミダゾール、１−ベンジルイミダゾール、１−（β−オキシエチル）イミダゾール、１−メチル−２−プロピルイミダゾール、１−メチル−２−イソブチルイミダゾール、１−ｎ−ブチル−２−メチルイミダゾール、１，２−ジメチルイミダゾール、１，４−ジメチルイミダゾール、１，５−ジメチルイミダゾール、１，２，５−トリメチルイミダゾール、１，４，５−トリメチルイミダゾール、１−エチル−２−メチルイミダゾール等が挙げられる。
【００５１】
アミン類としては、ペンチルアミン、ヘキシルアミン、ジイソプロピルアミン、ジイソブチルアミン、ジ−ｎ−プロピルアミン、ジアリルアミン、トリエチルアミン、Ｎ−メチルアニリン、ピリジン、モルホリン、Ｎ−メチルモルホリン、トリアリルアミン、アリルアミン、α―メチルベンジルアミン、メチルアミン、ジメチルアミン、トリメチルアミン、エチルアミン、ジエチルアミン、プロピルアミン、イソプロピルアミン、ジプロピルアミン、ブチルアミン、イソブチルアミン、ジブチルアミン、トリブチルアミン、ジペンチルアミン、トリペンチルアミン、２−エチルヘキシルアミン、アニリン、Ｎ，Ｎ−ジメチルアニリン、Ｎ，Ｎ−ジエチルアニリン、エチレンジアミン、プロピレンジアミン、ジエチレントリアミン、テトラエチレンペンタミン、ベンジルアミン、ジベンジルアミン、ジフェニルアミン、ジエチルヒドロキシルアミン等が挙げられる。
【００５２】
炭化水素類としては、α−メチルスチレン、ｐ−イソプロペニルトルエン、イソプレン類、プロパジエン類、テルペン類等が挙げられる。
【００５３】
＜難燃剤＞
本組成物は難燃剤を含むことにより、燃焼性を改善することができる。このような難燃剤としては、ホスフェート類、ハロゲン化芳香族化合物、フッ素化ヨードカーボン、フッ素化ブロモカーボン等が挙げられるが、これらに限定されない。
【００５４】
＜界面活性剤＞
本組成物は界面活性剤を含むことにより、洗浄力、界面作用等をより一層改善することができる。このような界面活性剤としては、ソルビタンモノオレエート、ソルビタントリオレエート等のソルビタン脂肪族エステル類；ポリオキシエチレンのソルビットテトラオレエート等のポリオキシエチレンソルビット脂肪酸エステル類；ポリオキシエチレンモノラウレート等のポリエチレングリコール脂肪酸エステル類；ポリオキシエチレンラウリルエーテル等のポリオキシエチレンアルキルエーテル類；ポリオキシエチレンノニルフェニルエーテル等のポリオキシエチレンアルキルフェニルエーテル類；ポリオキシエチレンオレイン酸アミド等のポリオキシエチレンアルキルアミン脂肪酸アミド類等のノニオン系界面活性剤が挙げられる。相乗的に洗浄力及び界面作用を改善する目的で、本組成物は、これらのノニオン系界面活性剤とともにカチオン系界面活性剤やアニオン系界面活性剤を含んでもよい。
【００５５】
２．本組成物の各種用途
［洗浄剤用途］
本組成物は優れた洗浄力を有するため、洗浄剤として用いることができる。本組成物を洗浄剤として用いる分野は特に限定されないが、従来にＣＦＣ−１１３（クロロトリフルオロメタン）、ＨＣＦＣ−１４１ｂ（１，１−ジクロロ−１−フルオロエタン）、ＨＣＦＣ−２２５（３，３−ジクロロ−１，１，１，２，２−ペンタフルオロプロパン（ＨＣＦＣ−２２５ｃａ）及び１，３−ジクロロ−１，１，２，２，３−ペンタフルオロプロパン（ＨＣＦＣ−２２５ｃｂ）の混合物）が洗浄剤として使用された分野が好適である。具体的には、電子部品（プリント基板、液晶表示器、磁気記録部品、半導体材料等）、電機部品、精密機械部品、樹脂加工部品、光学レンズ、衣料品等の洗浄が挙げられる。これらの物品を構成する基材の材質は、鉄、ステンレス、マグネシウム、アルミニウム、亜鉛、銀、銅、銅合金、スズ、硫酸アルマイト、チタン等の金属、銅、亜鉛、ニッケル、クロム、金等で表面をメッキした金属、ポリプロピレン、エポキシ樹脂等のプラスチック材料、高分子材料、ガラス材料等が挙げられる。汚れの種類も限定されないが、ＣＦＣ−１１３、ＨＣＦＣ−１４１ｂ、ＨＣＦＣ−２２５で除去可能な汚れは、本組成物の組成比を最適化することで除去することが可能であり、そのような汚れとしてはパーティクル、油、グリース、ワックス、フラックス、インキ等が挙げられる。
【００５６】
その洗浄方法は、本組成物を洗浄剤として被洗浄物と接触させること以外は特に限定されず、従来から用いられている方法を採用することができる。具体的には、浸漬、スプレー、沸騰洗浄、超音波洗浄、蒸気洗浄、洗浄剤を含ませたスポンジ等による被洗浄物表面をふき取る方法、若しくはこれらの組み合わせ等が挙げられる。中でも後述の実施例に示すように、浸漬を行うことで、汚れを除去する方法が特に好ましい。ここで、浸漬とは、油等の汚れが付着した対象物（被洗浄物）を、本組成物と接触させることを指す。被洗浄物を本組成物に浸漬させることにより、被洗浄物に付着した汚れを該組成物中に溶解させることで、汚れを被洗浄物から取り除くことができる。なお、当該浸漬操作と共に、他の洗浄操作（沸騰洗浄、超音波洗浄など）を組み合わせることもできる。
【００５７】
本組成物は、気液平衡での液相組成比と気相組成比とが実質的に同一となるため、経時的に揮発が生じても組成変化が非常に小さく、常に安定した洗浄能力を得ることが可能となる。また、保管時における保管容器内での組成変化も避けることができる。
【００５８】
［水切り剤用途］
本組成物は水切り剤として用いることができる。自動車、機会、精密機器、電気、電子、光学等の各種工業分野において扱われる物品は、その製造工程において、純水等の水で洗浄されたり、水系洗浄剤、水系洗浄剤に水溶性溶剤を配合した準水系洗浄剤、アルコール系洗浄剤、グリコールエーテル系洗浄剤、炭化水素に界面活性剤を配合した炭化水素系洗浄剤等により洗浄されることがある。水系洗浄剤や準水系洗浄剤を使用した場合、洗浄後の物品には水が付着した状態となり、洗浄工程後に水切り剤で水分を排除する水切り工程が一般的に行われている。本組成物は、そのような水切り工程で用いる水切り剤として好適に用いることができる。
【００５９】
水切り方法は、本組成物を水切り剤として用いる以外は特に限定されず、従来公知の方法を採用することができる。例えば、被水切り物品を本組成物に接触させて乾燥する方法が挙げられる。
【００６０】
本組成物は、洗浄作用とともに水切り作用を示すことから、洗浄工程と水切り工程とを一挙に行うことができる。すなわち、洗浄工程を施すことで、被洗浄物に付着した汚れを除去できるとともに、被洗浄物に付着し得る水分を除去できる。したがって、洗浄工程と水切り工程とで使用する洗浄剤と水切り剤とを区別して用いる必要はないため、より生産的である。なお、このことは、洗浄工程と水切り工程とで使用する洗浄剤と水切り剤とを区別して用いることを妨げるものではなく、所望により、本組成物をそれぞれの工程において、洗浄剤および／または水切り剤として用いてもよい。いくつかの態様において、本組成物は、水分を含む汚れ（例えば、水溶性油）が付着した物品（被洗浄物品）の洗浄に好適である。本組成物を用いることにより、被洗浄物品に付着した汚れとともに水分を除去することができる。
【００６１】
［溶媒用途］
本組成物は共沸様組成を有するため、単一成分と同様に溶媒として用いることができる。
【００６２】
［シリコーン溶剤用途］
本組成物はシリコーンの溶剤として優れた特性を有する。即ち、本組成物は、オゾン層破壊係数及び地球温暖化係数（ＧＷＰ）が低く、揮発性に優れ、かつ、種々のシリコーンを任意で溶解させることができる。特に、本組成物は、広い共沸様組成範囲を持つので、当業者は各種のシリコーン化合物に応じた最適の組成を選定することができる。
【００６３】
本組成物をシリコーン溶剤として用いると優れた効果を発揮する例としては、表面コーティングが挙げられる。表面コーティングにおいては、対象物の表面の保護、潤滑性を付与させるために、揮発性の溶剤に潤滑剤のシリコーンを溶解させて得たシリコーン塗布溶液を対象物に塗布した後に溶剤を蒸発させる事が一般的である。例えば、注射針にはすべり性を良くするために、シリコーンが塗布されている。
【００６４】
本組成物とシリコーンとを混合させることで、シリコーン塗布溶液として使用することができる。
【００６５】
使用されるシリコーンとしては、例えば、表面コーティング用に使用されている各種のシリコーンを使用することができる。中でも、メチル基、フェニル基、水素原子を置換基として結合したジメチルシリコーンオイル、メチルフェニルシリコーンオイル、メチル水素シリコーンオイルなどのストレートシリコーンオイル、また、ストレートシリコーンオイルから二次的に誘導された構成部分を持つ、反応性シリコーンオイル、非反応性シリコーンオイルなどの変性シリコーンオイルなどのシリコーンを使用してもよい。
【００６６】
また、シリコーンとしては、アミノアルキルシロキサンとジメチルシロキサンとの共重合体を主成分とするもの、アミノ基含有シラン及びエポキシ基含有シランの反応生成物と、シラノール基を含有するポリジオルガノシロキサンとの反応生成物を主成分とするもの、側鎖又は末端にアミノ基を含有するシリコーンとポリジオルガノシロキサンとからなるシリコーン混合物、及びアミノ基含有アルコキシシラン、エポキシ基含有アルコキシシラン、および両末端にシラノール基を有するシリコーンを反応させて得られたシリコーンと非反応性シリコーンとの混合物等が挙げられる。
【００６７】
シリコーン塗布溶液におけるシリコーン溶剤としての本組成物の割合は、例えば、０．１質量％以上８０質量％以下とし、１質量％以上２０質量％以下であることが好ましい。
【００６８】
本組成物を含むシリコーン塗布溶液を対象物の表面に塗布し、本組成物を揮発させて除去することにより、対象物表面にシリコーンの被膜を形成する。本発明の方法を適用できる対象物としては、金属部材、樹脂部材、セラミックス部材、ガラス部材などの各種材質に適用することができ、特に、注射針の針管部や、ディスペンサー（液体定量噴出装置）のスプリングやバネ部分等に適用することができる。
【００６９】
例えば、注射針の針管部などにシリコーンの被膜を形成する場合、シリコーンを注射針の針管部に塗布する方法として、注射針の針管部を、シリコーン塗布溶液に浸漬させ、針管部の外表面に塗布した後、室温あるいは加温下に放置して本組成物を蒸発させ、シリコーンの被膜を形成させるディップコート法が適用されてもよい。
【００７０】
［発泡剤用途］
本組成物は、硬質ポリウレタンフォームまたはポリイソシアヌレートフォームの製造に用いる発泡剤として用いることができる。すなわち、本発明の共沸組成物からなる発泡剤、１種以上のポリオール、触媒、整泡剤などを混合した混合物（プレミックス）をイソシアネートと反応させることによって、硬質ポリウレタンフォームまたはポリイソシアヌレートフォームを製造することができる。
【００７１】
イソシアネートは、芳香族、環状脂肪族、鎖状脂肪族系等のものが包含され、一般には２官能のものが使用される。このようなイソシアネートとしては、例えば、トリレンジイソシアネート、ジフェニルメタンジイソシアネート、ポリメチレンポリフェニルポリイソシアネート、トリレンジイソシアネート、ナフタリンジイソシアネート、ヘキサメチレンジイソシアネート、イソホロンジイソシアネート、キシリレンジイソシアネート、水添キシリレンジイソシアネート、ジシクロヘキシルメタンイソシアネート等のポリイソシアネートおよびこれらのプレポリマー型変性体、ヌレート変性体、尿素変性体が挙げられる。これらは単独または混合物で用いられる。
【００７２】
プレミックスに含まれるポリオールには、ポリエーテル系ポリオール、ポリエステル系ポリオール、多価アルコール、水酸基含有ジエチレン系ポリマー等が挙げられるが、ポリエーテル系ポリオールが一般的に使用される。また、ポリエステル系ポリオール及びポリエーテル系ポリオールを主成分としてもよく、その他のポリオールを使用してもよい。
【００７３】
ポリエステル系ポリオールには、無水フタル酸、廃ポリエステル、ひまし油に由来する化合物の他に縮合系ポリエステルポリオール、ラクトン系ポリエステルポリオール、ポリカーボネートポリオール等が挙げられる。
【００７４】
発泡剤等との相溶性ならびに、発泡性、フォーム物性等の観点から、ポリエステルポリオールの水酸基価（ＯＨ価）は１００ｍｇＫＯＨ／ｇ以上４００ｍｇＫＯＨ／ｇ以下であり、かつ粘度が２００Ｐａ・ｓ／２５℃以上４０００ｍＰａ・ｓ／２５℃以下であることが好ましい。
【００７５】
ポリエーテル系ポリオールとしては、ポリプロピレングリコール、ポリテトラメチレングリコール及びそれら変性体の他、糖、多価アルコール、アルカノールアミン等の活性水素を含む化合物をイニシエータにして、これに、プロピレンオキシド、エチレンオキシド、エピクロルヒドリン、ブチレンオキシド等の環状エーテルを付加したものが好ましく使用される。
【００７６】
ポリエーテルポリオールは、通常、水酸基価が４００ｍｇＫＯＨ／ｇ以上、１０００ｍｇＫＯＨ／ｇ以下のものが使用される。
【００７７】
プレミックスに含まれる触媒には、有機金属系触媒及び有機アミン系触媒が包含される。有機金属触媒としては、有機スズ化合物が好ましく使用され、スタナスオクトエート、スタナスラウレート、ジブチル錫ジラウレート、ジブチル錫ジマレート、ジブチル錫ジアセテート、ジオクチル錫ジアセテート等が挙げられる。有機アミン系触媒としては、第３級アミン、例えば、トリエチレンジアミン、Ｎ−エチルモルホリン、ビス（２−ジメチルアミノエチル）エーテル、Ｎ，Ｎ’，Ｎ’−トリエチルエタノールアミン等が挙げられる。
【００７８】
プレミックスに含まれる整泡剤としては、通常有機ケイ素化合物系の界面活性剤が用いられ、東レシリコーン（株）製ＳＨ−１９３、ＳＨ−１９５、ＳＨ−２００またはＳＲＸ−２５３等、信越シリコーン（株）製Ｆ−２３０、Ｆ−３０５、Ｆ−３４１、Ｆ−３４８等、日本ユニカー（株）製Ｌ−５４４、Ｌ−５３１０、Ｌ−５３２０、Ｌ−５４２０、Ｌ−５７２０または東芝シリコーン（株）製ＴＦＡ−４２００、ＴＦＡ−４２０２等が挙げられる。
【００７９】
プレミックスに含まれる難燃剤としては、硬質ポリウレタンフォームまたはポリイソシアヌレートフォームに使用されるリン酸エステルであり、トリス（２−クロロエチル）ホスフェート、トリス（２−クロロプロピル）ホスフェート、トリス（ブトキシエチル）ホスフェート、トリスメチルホスフェート、トリスエチルホスフェート、トリフェニルホスフェート、トリス（イソプロピルフェニル）ホスフェート等が挙げられる。
【００８０】
プレミックスには、紫外線防止剤、スコーチ防止剤、プレミックス貯蔵安定剤などを存在させてもよい。これにより、硬質ポリウレタンフォームまたはポリイソシアヌレートフォームの諸物性を向上させることができる。
【００８１】
［熱伝達媒体用途］
本組成物は、冷凍サイクルシステム、高温ヒートポンプシステム、及び有機ランキンサイクルシステムなどの熱伝達媒体として好適である。また、いくつかの態様において、本組成物は、これらのサイクルシステムを洗浄するための洗浄剤として好適である。
【００８２】
本明細書において、「冷凍サイクルシステム」とは、少なくとも蒸発器、圧縮機、凝縮器、膨張弁の要素機器を含む蒸気圧縮式の冷凍サイクルシステムであり、主に冷却することを目的とするシステムを指す。前記膨張弁は、熱伝達媒体が絞り膨張するための装置であり、キャピラリーチューブであってもよい。冷凍サイクルシステムは前記要素機器の他に、内部熱交換器、乾燥器（ドライヤ）、液分離器、油回収器、不凝縮ガス分離器を備えていてもよい。前記冷凍サイクルシステムは、冷蔵庫、空調システム、冷却装置として用いられてもよい。
【００８３】
本明細書において、「高温ヒートポンプサイクルシステム」とは、少なくとも蒸発器、圧縮機、凝縮器、膨張弁の要素機器を含む蒸気圧縮式のヒートポンプサイクルシステムであり、主に加熱することを目的とするシステムを指す。前記膨張弁は、熱伝達媒体を絞り膨張させるための装置であり、キャピラリーチューブであってもよい。高温ヒートポンプサイクルシステムは、前記要素機器の他に、内部熱交換器、乾燥器（ドライヤ）、液分離器、油回収器、不凝縮ガス分離器を備えていてもよい。前記高温ヒートポンプサイクルシステムは、給湯システム、蒸気生成システム、加熱装置として用いられてもよい。また、前記高温ヒートポンプサイクルシステムは、熱源として、太陽熱エネルギー、工場廃熱などを利用してもよい。
【００８４】
本明細書において、「有機ランキンサイクルシステム」とは、少なくとも蒸発器、膨張機、凝縮器、昇圧ポンプの要素機器を含むランキンサイクルシステムであり、主に熱エネルギーを電気エネルギーへと変換することを目的とするシステムを指す。有機ランキンサイクルシステムは、前記要素機器の他に、内部熱交換器、乾燥器（ドライヤ）、液分離器、油回収器、不凝縮ガス分離器を備えていてもよい。前記有機ランキンサイクルシステムは、中低温熱を回収する発電装置として用いられてもよい。また、前記有機ランキンサイクルシステムは、熱源として、太陽熱エネルギー、工場廃熱などを利用してもよい。
【実施例】
【００８５】
以下、実施例によって本発明を詳細に説明するが、本発明は以下に述べる実施例に限定されるわけではない。【００８６】
実施例１〜１５では、Ｚ−１−クロロ−３，３，３−トリフルオロプロペン（１２３３ｚｄ（Ｚ））、エタノールおよび水によって形成される共沸様組成物の存在を実証する。【００８７】
［実施例１〜５］
上部に凝縮器を備えた３００ｍＬ３つ口丸底フラスコに白金温度計を装備し、凝縮器上部は外気水分が混入しないように配慮したうえで、外気圧になる状態とした。このフラスコに試料約２００ｍＬを導入し、試料を十分に攪拌しながら加熱し、十分に沸騰して試料温度が安定した時の温度を「読み取り沸点」として計測し、この時の外気圧も測定した。この読み取り沸点と外気圧から標準沸点に換算した。換算方法は日本工業規格：ＪＩＳ Ｋ２２５４「石油製品の蒸留方法」に記載の温度計の読みの気圧補正方法に記載されているシドニーヤング式を用いて補正値を求め、読みとり沸点に補正値を加えた。９８．５重量％の１２３３ｚｄ（Ｚ）と１．５重量％の無水エタノールを混合して調製した標準試料１について、上記の方法により標準沸点を求めたところ、３８．９５℃であった。この標準試料１に、所定量の水を加え調製した各試料について、上記の方法によりそれぞれ標準沸点を求めた。その結果を表１に示す。【００８８】
表１に示されるように、実施例１〜５の各試料は、標準試料１の標準沸点よりも低い標準沸点を示すことが観察された。このことは、実施例１〜５の各試料において、共沸様組成物が形成されていることを示唆している。
【表１】
2019102967.tif 000002
【００８９】
［実施例６〜１０］
８０重量％の１２３３ｚｄ（Ｚ）と２０重量％のエタノールを混合して調製した標準試料２について実施例１〜５と同様の方法により標準沸点を求めたところ、４１．１２℃であった。この標準試料２に、所定量の水を加えて調製した各試料について、上記の方法によりそれぞれ標準沸点を求めた。その結果を表２に示す。【００９０】
表２に示されるように、実施例６〜１０の各試料は、標準試料２の標準沸点よりも低い標準沸点を示すことが観察された。このことは、実施例６〜１０の各試料において、共沸様組成物が形成されていることを示唆している。
【表２】
2019102967.tif 000003
【００９１】
［実施例１１〜１５］
６５重量％の１２３３ｚｄ（Ｚ）と３５重量％のエタノールを混合して調製した標準試料３について実施例１〜５と同様の方法により標準沸点を求めたところ、４３．９４℃であった。この標準試料３に、所定量の水を加えて調製した各試料について、上記の方法によりそれぞれ標準沸点を求めた。その結果を表３に示す。【００９２】
表３に示されるように、実施例１１〜１５の各試料は、標準試料３の標準沸点よりも低い標準沸点を示すことが観察された。このことは、実施例１１〜１５の各試料において、共沸様組成物が形成されていることを示唆している。
【表３】
2019102967.tif 000004
【００９３】
以下、実施例１６〜１８では、本発明の共沸様組成物が、洗浄作用とともに水切り作用を示すことを実証する。【００９４】
［実施例１６］
１５ｍｍ×３０ｍｍ×厚さ２ｍｍのＳＵＳ３１６製試験片に水溶性加工油ユニソルブルＥＭ（ＪＸ日鉱日石エネルギー製）５質量％水溶液を付着させた。この試験片を共沸様組成物（１２３３ｚｄ（Ｚ）：約６４重量％、エタノール：約３５重量％、水：約１重量％）に浸漬し、２５℃で２分間超音波洗浄（超音波発振器：Ａｌｅｘ Ｃｏｒｐｏｒａｔｉｏｎ社製ネオソニック、出力１００Ｗ、周波数２８ｋＨｚ）した。その後、試験片を取出し、８０℃にて５分間乾燥した後、被洗浄物の表面を目視観察した。その結果、汚れも、水ジミも確認されず、良好な洗浄性および水切り性を示した。【００９５】
［実施例１７］
別の共沸様組成物（１２３３ｚｄ（Ｚ）：約９８．４重量％、エタノール：約１．５重量％、水：約０．１重量％）を用いた以外は、実施例１６と同様の操作を行った。その結果、汚れも確認されず、水ジミも確認されず、良好な洗浄性および水切り性を示した。【００９６】
［実施例１８］
別の水溶性加工油ユニソルブルＣＳ（ＪＸ日鉱日石エネルギー製）２．５質量％水溶液を用いた以外は、実施例１６と同様の操作を行った。その結果、汚れも確認されず、水ジミも確認されず、良好な洗浄性および水切り性を示した。
【国際調査報告】
2019102967.tif 000005
2019102967.tif 000006
2019102967.tif 000007
2019102967.tif 000008
2019102967.tif 000009
2019102967.tif 000010